(57)【要約】【課題】遮蔽体の動作確認時に、遮蔽体の破損を防止することができるエレベータの乗場出入口装置を得る。【解決手段】かご出入口の床部には、エプロン装置１１が設けられている。エプロン装置１１は、かご出入口の床部から下方へ延びた上部パネル１２と、上部パネル１２に連結され、上部パネル１２に対してスライド可能な下部パネル１３とを有している。上部パネル１２は、パネル本体部１４と、パネル本体部１４の幅方向端部に設けられ、かご３の奥行き方向へ延びるパネル端面部１５とを有している。パネル端面部１５には、上下方向へ延びた長穴１６が設けられている。下部パネル１３には、長穴１６に挿入されたガイドボルト１９が取り付けられている。下部パネル１３は、ガイドボルト１９の長穴１６内での摺動により上部パネル１２に対してスライド可能になっている。【選択図】図４
2005154072.tif 000002
【特許請求の範囲】
【請求項１】
乗場出入口の側部に設けられ、上下方向に延びる案内溝が設けられている縦枠、
上記乗場出入口を塞ぐ閉鎖位置と上記乗場出入口を開放する開放位置との間で変位可能な遮蔽体、
上記遮蔽体の下端部に設けられ、上記遮蔽体の変位時に上記案内溝に沿って摺動するスライド部材、及び
上記縦枠の下部に設けられ、上記案内溝の下端部からの上記スライド部材の外れを阻止するストッパ
を備えていることを特徴とするエレベータの乗場出入口装置。
【請求項２】
上記ストッパは、乗場床の高さよりも高位置に配置され、
上記スライド部材は、スライド部材本体と、スライド部材本体から延出され、上記ストッパに当接する延出部とを有しており、
上記スライド部材本体の下端部の高さは、上記当接部が上記ストッパに当接されているときに上記乗場床の高さと同一になっていることを特徴とする請求項１に記載のエレベータの乗場出入口装置。
【請求項３】
上記ストッパは、各上記縦枠間に連結されていることを特徴とする請求項１又は請求項２に記載のエレベータの乗場出入口装置。
【請求項４】
上記ストッパは、上記縦枠に対して着脱可能になっていることを特徴とする請求項１乃至請求項３の何れかに記載のエレベータの乗場出入口装置。
【発明の詳細な説明】
【技術分野】
【０００１】
この発明は、例えば火災時等に遮蔽体により乗場出入口を塞ぐエレベータの乗場出入口装置に関するものである。
【背景技術】
【０００２】
従来のエレベータの乗場出入口装置では、乗場出入口を閉鎖するための防火・防煙用のシャッターカーテンが三方枠の上枠に収納されることがある。シャッターカーテンは、例えば火災等が発生したときに、上枠から降ろされて乗場出入口を閉鎖するようになっている。三方枠の縦枠には、シャッターカーテンを案内するレールが設けられている（例えば、特許文献１参照）。
【０００３】
【特許文献１】特開２００３−２６７６４４号公報
【発明の開示】
【発明が解決しようとする課題】
【０００４】
しかし、シャッターカーテンがレールから一旦外れてしまうと、シャッターカーテンをレールに戻すのに手間がかかる。
また、レールから外れたシャッターカーテンを無理に引き上げようとすると縦枠に引っかかってシャッターカーテンが破れてしまうことがある。
【０００５】
この発明は、上記のような問題点を解決することを課題としてなされたものであり、遮蔽体の案内溝からの外れを防止することができるエレベータの乗場出入口装置を得ることを目的とする。
【課題を解決するための手段】
【０００６】
この発明に係るエレベータの乗場出入口装置は、乗場出入口の側部に設けられ、上下方向に延びる案内溝が設けられている縦枠、乗場出入口を塞ぐ閉鎖位置と乗場出入口を開放する開放位置との間で変位可能な遮蔽体、遮蔽体の下端部に設けられ、遮蔽体の変位時に案内溝に沿って摺動するスライド部材、及び縦枠の下部に設けられ、案内溝の下端部からのスライド部材の外れを阻止するストッパを備えている。
【発明の効果】
【０００７】
この発明に係るエレベータの乗場出入口装置では、ストッパが縦枠の下部に設けられているので、スライド部材が案内溝の下端部から外れることを防止することができる。これにより、スライド部材の案内溝からの外れによる弊害、例えばスライド部材を案内溝に戻すための手間やスライド部材の引き上げ時にスライド部材が縦枠の下端部に引っかかることによる遮蔽体の破損等の弊害の発生を防止することができる。
【発明を実施するための最良の形態】
【０００８】
実施の形態１．
図１はこの発明の実施の形態１によるエレベータの乗場出入口装置を示す縦断面図、図２は図１のII-II線に沿った断面図である。また、図１及び図２は、エレベータの乗場出入口装置の据付時の状態を示す図である。図において、乗場出入口２の下部の昇降路１側の壁面上には、乗場出入口２の間口方向に延びる乗場敷居３が固定されている。乗場敷居３は、乗場出入口２の下部に配置されている。乗場敷居３の上方には、乗場出入口２を開閉する一対の乗場の戸６が配置されている。なお、乗場敷居３の上面の高さは、乗場床５の高さ（以下、「フロアレベル」といい、図ではフロアレベルを基準線１００で示すこととする）とほぼ同一になっている。
【０００９】
乗場出入口２の側部には、垂直に延びる一対の縦枠７が設けられている。乗場出入口２の上部には、各縦枠７の上端部間を水平に延びる上枠８が設けられている。各縦枠７及び上枠８は、乗場の戸６の乗場９側に配置されている。三方枠１０は、各縦枠７及び上枠８を有している。
【００１０】
各縦枠７の下端面の高さは、フロアレベルよりも低位置になっている。各縦枠７には、上下方向へ延びる案内溝１１が設けられている。各案内溝１１は、互いに対向している。また、各縦枠７内には、案内溝１１側に開放された取付部材１２が配置されている（図２）。
【００１１】
三方枠１０の下方には、乗場出入口２の床部となる床材を入れるための空間部１３が設けられている。床材は、三方枠１０を乗場出入口２の側部及び上部に据え付けた後に空間部１３に入れられる。
【００１２】
上枠８内には、水平に延びる巻き取り軸１４を有する巻き取り装置１５が設けられている。巻き取り軸１４には、難燃性材料で作製されたシート状の遮蔽体１６が接続されている。上枠８の下面には、遮蔽体１６が通された開口部１７が設けられている。開口部１７は、乗場出入口２の間口方向へ延びている。
【００１３】
遮蔽体１６は、巻き取り装置１５の駆動により、乗場出入口２を塞ぐ閉鎖位置と乗場出入口２を開放する開放位置との間で変位可能になっている。即ち、遮蔽体１６は、巻き取り軸１４から繰り出されることにより閉鎖位置へ変位され、巻き取り軸１４に巻き取られることにより開放位置へ変位される。遮蔽体１６の下端部には、複数（ここでは４枚）のおもり板１８と、乗場出入口２の間口方向へ延びるスライド部材１９とが取り付けられている（図１）。
【００１４】
図３は、図１のおもり板１８及びスライド部材１９が遮蔽体１６に取り付けられた状態を示す縦断面図である。図に示すように、遮蔽体１６の下端部は、上方へ折り返されている。スライド部材１９は、遮蔽体１６の折り返し部分の内側に配置されている。また、スライド部材１９は、互いに重ねられた同数のおもり板１８により遮蔽体１６を介して挟まれている。各おもり板１８及びスライド部材１９は、ボルト及びナットにより一体に締結されている。
【００１５】
図４は図２のIV部を示す拡大図、図５は図４のV-V線に沿った断面図、図６は図４のVI-VI線に沿った断面図である。図において、スライド部材１９の両端部は、各案内溝１１にそれぞれ挿入されている。スライド部材１９は、案内溝１１に沿って摺動可能になっている。スライド部材１９は、遮蔽体１６が閉鎖位置から開放位置へ変位される際に上方へ変位され、遮蔽体１６が開放位置から閉鎖位置へ変位される際に下方へ変位される。
【００１６】
各取付部材１２は、案内溝１１に沿って延びている。また、各取付部材１２は、縦枠７の間口方向内側部分に固定された一対の固定部１２ａと、各固定部１２ａの互いに対向する端部から間口方向外側へ延びる一対の立ち上げ部１２ｂと、各立ち上げ部１２ｂの先端部を連結する連結部１２ｃとを有している（図４）。
【００１７】
各取付部材１２の下端部には、スライド部材１９の案内溝１１からの外れを阻止するストッパ２０が着脱可能に取り付けられている。ストッパ２０は、各縦枠７の下部に配置されている。また、ストッパ２０は、各立ち上げ部１２ｂの下端部間に水平に延びる水平部２０ａと、水平部２０ａの両端部から立ち上げ部１２ｂの外面に沿って上方へ延びる垂直部２０ｂとを有している。即ち、ストッパ２０の形状は、垂直断面コ字状となっている（図６）。
【００１８】
ストッパ２０は、垂直部２０ｂが立ち上げ部１２ｂに複数のボルト（図示せず）で締結されることにより、取付部材１２の下端部に取り付けられている。また、スライド部材１９の下方への変位は、水平部２０ａにより阻止される。ここでは、水平部２０ａの上面の高さは、フロアレベルよりも低位置にされている。
【００１９】
次に、エレベータの乗場出入口装置の据付手順について説明する。
三方枠１０には、ストッパ２０、遮蔽体１６等の取付部品を製作所であらかじめ取り付けておく。この後、製作所から運ばれてきた三方枠１０、乗場敷居３及び乗場の戸６を乗場出入口２に設置する。このとき、三方枠１０の下方には、乗場出入口２の床部を形成するために空間部１３を設けておく。
【００２０】
この後、遮蔽体１６を実際に動作させて正常に動作するか確認する。このとき、スライド部材１９が案内溝１１の下端部まで変位されることもあるが、縦枠７の下部にストッパ２０が設けられているので、スライド部材１９が案内溝１１から空間部１３側へ外れることはない。
【００２１】
遮蔽体１６の動作の確認後、ストッパ２０を取付部材１２から取り外す。この後、例えばモルタル等の流動材を空間部１３に流し込んで固化させることにより乗場出入口２の床部を完成させる。このとき、乗場出入口２の床部の上面の高さをフロアレベルにする。これにより、各縦枠７の下端部が乗場出入口２の床部に埋め込まれ、各縦枠７は乗場出入口２の床部に固定される。このようにして、エレベータの乗場出入口装置を乗場出入口２に設置する。
【００２２】
このようなエレベータの乗場出入口装置では、ストッパ２０が各縦枠７の下部に設けられているので、スライド部材１９が案内溝１１の下端部から外れることを防止することができる。これにより、スライド部材１９の案内溝１１からの外れによる弊害、例えばスライド部材１９を案内溝１１に戻すための手間やスライド部材１９の引き上げ時にスライド部材１９が縦枠７の下端部に引っかかることによる遮蔽体１６の破損等の弊害の発生を防止することができる。
【００２３】
また、ストッパ２０が縦枠７に取付部材１２を介して着脱可能に取り付けられているので、遮蔽体１６の動作確認後にストッパ２０を取り外すことができ、例えばモルタル等の流し込みの際にストッパ２０が邪魔になることがなく、乗場出入口２の床部の作製の際の作業効率の低下を防止することができる。
【００２４】
実施の形態２．
図７は、この発明の実施の形態２によるエレベータの乗場出入口装置を示す要部平断面図である。また、図８は図７のVIII-VIII線に沿った断面図、図９は図７のIX-IX線に沿った断面図である。図において、ストッパ３１は、連結部１２ｃの内面に着脱可能に取り付けられている。また、ストッパ３１は、各縦枠７の下部に配置されている。さらに、ストッパ３１は、連結部１２ｃの内面に沿って延びる垂直部３１ａと、垂直部３１ａの下端部から間口方向内側へ水平に延びる水平部３１ｂとを有している。即ち、ストッパ３１の形状は、垂直断面Ｌ字状になっている（図８）。垂直部３１ａは、連結部１２ｃにボルト（図示せず）により締結されている。また、水平部３１ｂの上面の高さは、縦枠７の下端面の高さと同一になっている。他の構成は実施の形態１と同様である。
【００２５】
このようなエレベータの乗場出入口装置でも、実施の形態１と同様に、スライド部材１９の案内溝１１からの外れを防止することができ、例えば遮蔽体１６の巻き取りの際に、スライド部材１９が縦枠７の下端部に引っかかって遮蔽体１６が破れてしまう等の弊害の発生を防止することができる。
【００２６】
実施の形態３．
図１０は、この発明の実施の形態３によるエレベータの乗場出入口装置を示す要部平面図である。また、図１１は図１０のXI-XI線に沿った断面図、図１２は図１０のXII-XII線に沿った断面図である。図において、ストッパ３５は、連結部１２ｃの外面に沿って延びる垂直部３５ａと、垂直部３５ａの下端部から間口方向内側へ水平に延びる水平部３５ｂとを有している。即ち、ストッパ３５の形状は、垂直断面Ｌ字状になっている（図１１）。垂直部３５ａは、連結部１２ｃにボルト（図示せず）により締結されている。また、水平部３５ｂの上面の高さは、縦枠７の下端面の高さと同一になっている。他の構成は実施の形態１と同様である。このようにしても、上記実施の形態１と同様の効果を得ることができる。
【００２７】
実施の形態４．
図１３は、この発明の実施の形態４によるエレベータの乗場出入口装置を示す縦断面図である。図において、各縦枠７の下端面の高さは、フロアレベルと同一になっている。また、乗場出入口２の床部を作製する際には、乗場出入口２の床部の上面の高さがフロアレベルになるように、例えば大理石等の固体部材が空間部１３に敷き詰められる。
【００２８】
図１４は、図１３のエレベータの乗場出入口装置を示す要部平断面図である。また、図１５は図１４のXV-XV線に沿った断面図、図１６は図１４のXVI-XVI線に沿った断面図である。図において、スライド部材４１の両端部は、案内溝１１内に摺動可能に挿入されている。また、スライド部材４１は、水平方向へ延びるスライド部材本体４１ａと、スライド部材本体４１ａの両端部の上部から間口方向外側へそれぞれ延びる一対の延出部４１ｂとを有している（図１５）。
【００２９】
連結部１２ｃの内面には、ストッパ４２が着脱可能に取り付けられている。ストッパ４２は、連結部１２ｃに沿って延びる垂直部４２ａと、垂直部４２ａの下端部から間口方向内側へ水平に延びる水平部４２ｂとを有している。垂直部４２ａは、連結部１２ｃにボルトにより締結されている。水平部４２ｂは、フロアレベルよりも高位置に配置されている。延出部４１ｂの下面は、水平部４２ｂの上面に当接可能になっている。スライド部材本体４１ａの下面の高さは、延出部４１ｂが水平部４２ｂに当接されているときに、フロアレベルと同一になるようになっている。他の構成は実施の形態２と同様である。
【００３０】
このようなエレベータの乗場出入口装置では、ストッパ４２がフロアレベルよりも高位置に配置され、延出部４１ｂがストッパ４２に当接されたときに、スライド部材本体４１ａの下面の高さがフロアレベルと同一になるようになっているので、ストッパ４２を取付部材１２に取り付けたままでも、乗場出入口２の床部の作製の際にストッパ４２が邪魔になることはなく、作業効率の低下を防止することができる。また、スライド部材４１の下面を乗場出入口２の床部の上面の高さまで変位させることができ、乗場出入口２を遮蔽体１６によってより確実に塞ぐことができる。
【００３１】
実施の形態５．
図１７は、この発明の実施の形態５によるエレベータの乗場出入口装置を示す平断面図である。また、図１８は図１７のXVIII-XVIII線に沿った断面図、図１９は図１７のXIX-XIX線に沿った断面図である。図において、ストッパ５１は、各縦枠７間で水平方向へ延びる板状の水平部５１ａと、水平部５１ａの両端部から各連結部１２ｃの外面に沿って上方へ延びる一対の垂直部５１ｂとを有している。垂直部５１ｂは、連結部１２ｃにボルトにより取り付けられている。即ち、ストッパ５１は、各縦枠７間に着脱可能に連結されている。
【００３２】
スライド部材１９の下方への変位は、水平部５１ａの位置で規制される。これにより、案内溝１１の下端部からのスライド部材１９の外れが阻止される。他の構成は実施の形態３と同様である。
【００３３】
このようなエレベータの乗場出入口装置では、ストッパ５１が各縦枠７間に連結されているので、三方枠１０を工場から運搬する際にストッパ５１を縦枠７に取り付けることにより、三方枠１０の形状を安定化させることができ、三方枠１０の変形を防止することができる。従って、三方枠１０の運搬を容易にすることができる。
【００３４】
なお、上記の例では、垂直部５１ｂは連結部１２ｃの外面に取り付けられているが、連結部１２ｃの内面に垂直部５１ｂを取り付けてもよい。
【００３５】
また、上記の例では、各縦枠７の下端面がフロアレベルよりも低位置になっているが、各縦枠７の下端面の高さをフロアレベルと同一にしてもよい。
【００３６】
また、各上記実施の形態では、ストッパは縦枠７に対して着脱可能に取り付けられているが、ストッパを縦枠７に対して取り外しできないように例えば接着剤等により取り付けてもよい。
【００３７】
また、各上記実施の形態では、難燃性のシートが遮蔽体１６として用いられているが、金属製のシャッターを遮蔽体として用いてもよい。
【図面の簡単な説明】
【００３８】
【図１】この発明の実施の形態１によるエレベータの乗場出入口装置を示す縦断面図である。
【図２】図１のII-II線に沿った断面図である。
【図３】図１のおもり板及びスライド部材が遮蔽体に取り付けられた状態を示す縦断面図である。
【図４】図２のIV部を示す拡大図である。
【図５】図４のV-V線に沿った断面図である。
【図６】図４のVI-VI線に沿った断面図である。
【図７】この発明の実施の形態２によるエレベータの乗場出入口装置を示す要部平断面図である。
【図８】図７のVIII-VIII線に沿った断面図である。
【図９】図７のIX-IX線に沿った断面図である。
【図１０】この発明の実施の形態３によるエレベータの乗場出入口装置を示す要部平面図である。
【図１１】図１０のXI-XI線に沿った断面図である。
【図１２】図１０のXII-XII線に沿った断面図である。
【図１３】この発明の実施の形態４によるエレベータの乗場出入口装置を示す縦断面図である。
【図１４】図１３のエレベータの乗場出入口装置を示す要部平断面図である。
【図１５】図１４のXV-XV線に沿った断面図である。
【図１６】図１４のXVI-XVI線に沿った断面図である。
【図１７】この発明の実施の形態５によるエレベータの乗場出入口装置を示す平断面図である。
【図１８】図１７のXVIII-XVIII線に沿った断面図である。
【図１９】図１７のXIX-XIX線に沿った断面図である。
【符号の説明】
【００３９】
２  乗場出入口、７  縦枠、１１  案内溝、１６  遮蔽体、１９，４１  スライド部材、２０，３１，３５，４２，５１  ストッパ、４１ａ  スライド部材本体、４１ｂ  延出部。
【図１】
2005154072.tif 000003
【図２】
2005154072.tif 000004
【図３】
2005154072.tif 000005
【図４】
2005154072.tif 000006
【図５】
2005154072.tif 000007
【図６】
2005154072.tif 000008
【図７】
2005154072.tif 000009
【図８】
2005154072.tif 000010
【図９】
2005154072.tif 000011
【図１０】
2005154072.tif 000012
【図１１】
2005154072.tif 000013
【図１２】
2005154072.tif 000014
【図１３】
2005154072.tif 000015
【図１４】
2005154072.tif 000016
【図１５】
2005154072.tif 000017
【図１６】
2005154072.tif 000018
【図１７】
2005154072.tif 000019
【図１８】
2005154072.tif 000020
【図１９】
2005154072.tif 000021